(57)【要約】  薬剤の搬送を補助するシステムであって、該システムは以下を含む。可食物を含む容器と、前記可食物を容器内に封止する第一の除去可能なカバー部材で、その上に突起部を有し、前記システムが使用中の時には、前記突起部が可食物内に突出しているように配置されていることを特徴とするカバー部材とを含むシステム。
2008517641.tif 000002
【特許請求の範囲】
【請求項１】
薬剤の搬送を補助するための薬剤搬送システムであって、
可食物を含む容器と；
前記可食物を容器内に実質的に封止する第一の除去可能なカバー部材で、その上に突起部を有し、前記システムが使用中の時には、前記突起部が可食物内に突出しているように配置されていることを特徴とするカバー部材と、
を含む薬剤搬送システム。
【請求項２】
前記突起部の断面が、半円形、三角形または四角形あるいは半球形である請求項１記載のシステム。
【請求項３】
前記突起部が実質的に空洞である請求項１または２記載のシステム。
【請求項４】
前記可食物が、該可食物内に薬剤が挿入または保持されていることを視覚的に示すカラーマークが施されている前記いずれかの請求項に記載のシステム。
【請求項５】
前記突起部が配置手段を含む前記いずれかの請求項に記載のシステム。
【請求項６】
前記可食物が固体または半固体状態である前記いずれかの請求項に記載のシステム。
【請求項７】
前記薬剤が可食薬であり、錠剤、ペレット、カプセル、または顆粒状態である前記いずれかの請求項に記載のシステム。
【請求項８】
前記容器がおけ型の形状を有する前記いずれかの請求項に記載のシステム。
【請求項９】
前記容器がアルミニウム、（ポリエチレン袋のような）柔軟なプラスチック、硬質または半硬質プラスチック、好ましくはプラスチック層を有する厚紙である前記いずれかの請求項に記載のシステム。
【請求項１０】
前記容器が、容器から可食物を取り出し易いように壁、ベース部の少なくとも一方が柔軟性を有する前記いずれかの請求項に記載のシステム。
【請求項１１】
前記システムがさらに第二の除去可能なカバー部材を有する前記いずれかの請求項に記載のシステム。
【請求項１２】
前記第二の除去可能なカバー部材が薬剤保存領域を形成するために設けられている請求項１１に記載のシステム。
【請求項１３】
薬剤が前記薬剤保存領域に含有されている請求項１２に記載のシステム。
【請求項１４】
前記薬剤保存領域がさらに薬剤保護デバイスを有する請求項１１または１２に記載のシステム。
【請求項１５】
前記第二の除去可能なカバー部材が容器の底部に設けられている請求項１２乃至１４に記載のシステム。
【請求項１６】
前記第二の除去可能なカバー部材が前記第一のカバー部材に配置されている請求項１２乃至１４に記載のシステム。
【請求項１７】
各カバー部材が、接着剤（食品用に使用可能なもの）または脱着式手段によって容器あるいはそれぞれ互いに結合されている前記いずれかの請求項に記載のシステム。
【請求項１８】
各カバー部材が、柔軟で無孔質材料から製造されている前記いずれかの請求項に記載のシステム。
【請求項１９】
前記突起部が、硬質または半硬質材料から製造されている前記いずれかの請求項に記載のシステム。
【請求項２０】
各カバー部材が、容器と実質的に接着されていない剥離タブを有する前記いずれかの請求項に記載のシステム。
【請求項２１】
ユーザが内容物の識別をし易いように、各カバー部材の上に印刷部を有する前記いずれかの請求項に記載のシステム。
【請求項２２】
容器内に可食物を充填する前に、前記容器の壁部が離型剤により被覆されている前記いずれかの請求項に記載のシステム。
【請求項２３】
前記可食物が、実質的に全て摂取されるような形状、形態をしている前記いずれかの請求項に記載のシステム。
【請求項２４】
薬剤の搬送を補助するための薬剤搬送システムであって；
可食物を含む容器と；
前記可食物を容器内に封止する第一の除去可能なカバー部材で、その上に突起部を有し、前記システムが使用中の時には、前記突起部が可食物内に突出しているように配置されていることを特徴とするカバー部材とを含み、
前記突起部を通して可食物内に薬剤が挿入されたときの圧力および、可食物から薬剤が脱落することがないように可食物によって薬剤を包装するための圧力を提供できるような変形可能な部材により、容器の壁部もしくはベースの少なくとも一方が形成されていることを特徴とする前記薬剤搬送システム。
【発明の詳細な説明】
【技術分野】
【０００１】
本発明は、薬剤搬送システムに関する。
【背景技術】
【０００２】
多くの人々（特に小さな子供や年配者）や動物にとって、錠剤やカプセルの形で薬剤を飲み込むことについて困難を経験することが知られている。薬剤を偽装する試みにおいて、これまで薬剤はある種の食物と結合させあるいは食物内に埋め込まれていた。これにより薬剤が直接見られることを防止していたが、投与しようとする動物によってはしばしば拒絶されていた。また、薬剤を食物と混合するこの方法は、実際にそれを行うについて煩雑なことであった。
【発明の開示】
【発明が解決しようとする課題】
【０００３】
従って、本発明の目的は前記欠点の少なくともいくらかを緩和することである。
【０００４】
さらに本発明の別の目的は、使用が容易な薬剤搬送システムを提供することである。
【課題を解決するための手段】
【０００５】
本発明によれば、以下の構成を含む薬剤の搬送システムを提供する。
可食物を含む容器と；
前記可食物を容器内に封止する第一の除去可能なカバー部材で、その上に突起部を有し、前記システムが使用中の時には、前記突起部が可食物内に突出しているように配置されている薬剤の搬送システムである。
【０００６】
容器から（突起部を含む）カバー部材が取り除かれるまで、可食物内に突起部の湾入部が実質的に維持されている。湾入部はそこに薬剤などを挿入するのに都合がよい。
【０００７】
突起部は可食物内に湾入部を作るために色々な形状とすることができる。突起部の断面は、半円、三角形、あるいは四角形である。あるいは突起部は半球状である。
【０００８】
さらに突起部はカバー部材から離れた位置に配置手段を含むことが望ましい。配置手段は可食物内の薬剤の位置決めをする。前記配置手段は典型的には、凹所または空洞を有し、該凹所または空洞は薬剤を収納する。配置手段は可食物内に薬剤が正確に位置決めされるまで、該薬剤を保持するのが好ましい。
【０００９】
容器からカバー部材が取り除かれると、突起部は可食物内に湾入部を残す。薬剤は湾入部に挿入することができ、カバー部材を元の位置に戻して、配置手段が該薬剤を所定の位置に固定する。
【００１０】
基本的に、容器はおけのような形状をしている。
【００１１】
可食物は好ましくは栄養素であり、固体または半固体状である。また、半固体状の湿潤性栄養素が特に好ましい。さらに可食物は１種以上のビタミン、ミネラル、サプリメントなどを含むこともできる。
【００１２】
薬剤は食用に適する薬剤であることが特に好ましい。薬剤は錠剤、ペレット、カプセル、顆粒などの形態であっても良い。家畜や農業用動物に使用するために、薬剤が蠕虫やノミなどの処置に好適な薬物、処方薬もしくはビタミン補給用などであっても良い。また人に使用するための薬剤の場合は、例えば頭痛、胸やけに効く薬やアスピリン、パラセタモールあるいは他の一般薬を含んでいても良い。本発明においては、いかなる特定の薬剤に限定されるものではない。
【００１３】
本発明では、動物（人も含む）が薬剤を飲みやすくするものである。動物には、猫や犬などのペットを含み、農業用動物についても使用される。
【００１４】
可食物の中に含ませて薬剤を与えることは、外観、におい、風味、色、薬の感触をマスクするのに役立つだろう。従って、可食物の成分は、その薬剤が投与される動物にとって特に、におい、風味、色、感触などの好ましい要素に従って選択することが望ましい。
【００１５】
従って、もし薬剤がペットに使用されるものであれば、キャットフードやドッグフードなどのペット用可食物が好ましい。一方、人に使用する薬剤の場合は、可食物は人にとって好まれる味、食感（例えばフルーツゼリーなど）のものから選択することが望ましい。
【００１６】
薬剤を可食物で包み込むことによって、人が飲み込む前に食物をかむという自然な動作の中で、薬剤をかむことが減少できる。従って形成された可食物の全てが食されることが望ましい。
【００１７】
容器は前記のようにおけ型が良い。そしてアルミニウム、柔軟なプラスチック（ポリエチレン容器など）、硬質、半硬質プラスチック、プラスチック層を有する厚紙などで製造することができる。特に、容器は可食物が取り出し易いように柔軟な構造が好ましい。
【００１８】
好ましくは、本システムはさらに第二のカバー部材を有する。第二のカバー部材は薬剤の保存領域を確定する。
【００１９】
薬剤の保存領域は、可食物の中に入れられる前の薬剤を含むように調製される。薬剤の分解が生ずるかもしれない場合、投与される直前に薬剤が可食物の中に挿入されるような構造が可能だからである。
【００２０】
従って一つの具体例によれば、第二のカバー部材は第一のカバー部材によって覆われ、前記第一のカバー部材と第二のカバー部材によって薬剤を保存する領域を確定する。この例では、突起部が空洞であることが好ましい。
【００２１】
第二のカバー部材が容器の基本位置に取り外し可能に配置されても良い。この例では、容器と第二のカバー部材により確定された領域が薬剤の保存領域となる。
【００２２】
薬剤保存領域がさらに、システムの輸送、保管の間に薬剤を実質的に保護するために薬剤保護デバイスを有することもできる。薬剤保護デバイスは、脱脂綿のようなパッドまたは詰め物を含んでもよい。
【００２３】
第一のカバー部材および第二のカバー部材は公知の方法により容器に固定される。例えば、第一のカバー部材および第二のカバー部材の少なくとも一方が接着剤（食品用に使用可能なもの）や脱着式（push- on-pull-off type）手段により固定されても良い。
【００２４】
第一のカバー部材、第二のカバー部材、第三のカバー部材が柔軟で、無孔性材料から製造されているのが好ましい。
【００２５】
突起部は、硬質または半硬質材料であることが好ましい。突起部は可食物の中に湾入部を形成し維持するのに十分に硬いことが望ましいからである。
【００２６】
また、各カバー部材には容器と接着していない取り外し用のタブ部が含まれていることが特に好ましい。取り外し用タブは容器から各カバー部材を容易に除去する為のものである。
【００２７】
第一のカバー部材、第二のカバー部材、第三のカバー部材の少なくとも一つに、ユーザが内容物の識別を補助するために、その上に印しが設けられていても良い。前記印しは、異なる着色部分を含み、あるいは、数字、文字などの印刷であって良い。好ましくは、システムの使用説明書は、システムの外側部分に印刷され、例えば、第一のカバー部材、第二のカバー部材、第三のカバー部材、容器の少なくとも一つに印刷されている。
【００２８】
好ましくは、容器は（容器の中に可食物を入れる前に剥離剤で被覆された）内部壁を有する。好ましい剥離剤は、シリコン系剥離剤である。
【００２９】
可食物は実質的に全てが消費されるように形成されている。
【００３０】
本発明のさらに別の目的によれば、薬剤の搬送を補助するためのシステムを提供する。該システムは、
可食性の物質を含む容器と、
前記容器の開口部を被覆する第一の除去可能なカバー部材で、そのシステムが使用中であるとき、可食物の中に該カバー部材から突き出るように設けられた突起部を有する第一のカバー部材と、
薬剤の保存領域を確定するために設けられた第二の除去可能なカバー部材、とを含んでいる。
【００３１】
容器、第一の除去可能なカバー部材、第二の除去可能なカバー部材の少なくとも一つは、実質的に上述した本発明の第一の形態に関連するものと同じである。薬剤もまた前述した内容と実質的に同じである。
【００３２】
容器は可食物を含み、基本的に前記本発明の内容と同じである。
【００３３】
以下に図面を参照しつつ、本発明について詳述する。
【発明を実施するための最良の形態】
【００３４】
図１、２、３を参照すると、ペットに使用される錠剤型の薬剤を薬剤搬送システム１で与えた例を示す。薬剤搬送システムは、柔軟なベース部３を有するおけ型のプラスチック容器２を含む。容器２はアルミホイルから製造された第一の除去可能なカバー部材４を有する。第一の除去可能なカバー部材４は容器２に対して、食品規格の接着剤６によって接着されている。第一の除去可能なカバー部材は食品５の中に突起部を有する。カバー部材４のタブ部７は容器２と接着されていない。容器２はドッグフード５を含む。
【００３５】
使用に際し、除去可能なカバー部材４は容器２から引きはがされ、ドッグフード５を取り出す。突起部もカバー部材４とともに除かれ、ドッグフードにアクセスできる。薬剤９はドッグフード５の中に挿入されている。除去可能なカバー部材４を元に戻すと、薬剤９はさらにドッグフード５の内部に挿入される。そして、カバー部材および突起部は最終的に容器から除かれる。容器５の壁およびベース部は変形可能である。従って、ユーザは容器の壁を圧搾することができ、薬剤を包み込む可食物を取り出すことができる。容器を反転させたときに可食物から薬剤が脱落しないように薬剤は十分に内包されている。容器５は食べやすい皿（図示せず）の上に反転されて、容器から食物５が取り出される。食物５は容器２の内部形状を保持する。食物５（薬剤を含む）は皿（図示せず）の上に置かれてペットの食用に供される。柔軟なベース部３は容器２からドッグフード５を取り出し易くする。ユーザが容器２を反転させたときに矢印Ｂの方向に柔軟部３を押すことができるからである。
【００３６】
図４を参照すると、図１、２、３で示す部分と同じ部分には同じ番号を使用して示す。薬剤搬送装置１は、突起部８に配置手段８ｂを有しており、この配置手段８ｂが食物５内への薬剤保持を補助する。
【００３７】
図５を参照すると、図１、２、３で示す部分と同じ部分には同じ番号を使用して示す。薬剤搬送システム２１は、容器２１のベース部３に設けられた除去可能なカバー部材２２をさらに有する。ベース部３と第二のカバー部材２２の間に、薬剤保存領域２３が形成されている。薬剤保存領域２３は薬剤２４を含んで構成されている。
【００３８】
図６を参照すると、図１、２、３で示す部分と同じ部分には同じ番号を使用して示す。薬剤搬送システム３１は、図５に示すシステムに類似する。しかし、第二のカバー部材３２が第一のカバー部材４の上に被覆されており、第二のカバー部材３２と第一のカバー部材４の間に薬剤３９を含む薬剤保存領域３３が形成されている。
【００３９】
図７を参照すると、図１、２、３で示す部分と同じ部分には同じ番号を使用して示す。薬剤搬送システム４１は、図６に示すシステムと類似する。しかし、第二のカバー部材４２が突起部４８の空洞をカバーし、空洞の突起部４８の中に薬剤４９が保存されている。
【図面の簡単な説明】
【００４０】
【図１】図１は本発明の薬剤搬送システムの断面図を示す。
【図２】図２は図１のＡ−Ａ線に沿った薬剤搬送システムの断面図を示す。
【図３】図３は図１の薬剤搬送システムを使用中の断面図を示す。
【図４】図４は本発明の薬剤搬送システムの第二の具体例の断面図を示す。
【図５】図５は本発明の薬剤搬送システムの第三の具体例の断面図を示す。
【図６】図６は本発明の第二の目的による薬剤搬送システムの断面図を示す。
【図７】図７は本発明の第二の目的による別の薬剤搬送システムの断面図を示す。
【図１】
2008517641.tif 000003
【図２】
2008517641.tif 000004
【図３】
2008517641.tif 000005
【図４】
2008517641.tif 000006
【図５】
2008517641.tif 000007
【図６】
2008517641.tif 000008
【図７】
2008517641.tif 000009
【国際調査報告】
2008517641.tif 000010
2008517641.tif 000011
2008517641.tif 000012